(57)【要約】      （修正有）【課題】掃除のモチベーションを高めることが可能なほうき、掃除管理プログラムおよび掃除管理サーバを提供する。【解決手段】掃除に用いられるほうきであって、ほうきは、掃除面積の算出に用いられるデータを取得するデータ取得手段と、前記データを送信する通信手段を備え、ほうきの柄に設けられた指紋認証システムにより使用者を特定する使用者特定手段を備え、前記通信手段は前記使用者を示す情報を送信し、さらに、掃除の開始および終了を特定する使用期間特定手段を備え、前記通信手段は、掃除の開始および終了を示す情報を送信する。【選択図】図１
2020130370.tif 000002
【特許請求の範囲】
【請求項１】
掃除面積を算出に用いられるデータを取得するデータ取得手段と、
前記データを送信する通信手段と、を備えるほうき。
【請求項２】
当該ほうきの使用者を特定する使用者特定手段を備え、
前記通信手段は、前記使用者を示す情報を送信する、請求項１に記載のほうき。
【請求項３】
前記使用者特定手段は、当該ほうきの柄に設けられた指紋認証システムである、請求項２に記載のほうき。
【請求項４】
掃除の開始および終了を特定する使用期間特定手段を備え、
前記通信手段は、掃除の開始および終了を示す情報を送信する、請求項１乃至３のいずれかに記載のほうき。
【請求項５】
コンピュータを、ほうきに設けられたデータ取得手段によって取得されたデータに基づいて算出された掃除面積を表示させる制御手段として機能させる掃除管理プログラム。
【請求項６】
前記掃除面積は、前記ほうきに設けられた使用者特定手段によって特定された、前記ほうきの使用者を示す情報に基づいて、使用者ごとに算出され、
前記制御手段は、使用者ごとに掃除面積を表示させる、請求項５に記載の掃除管理プログラム。
【請求項７】
前記制御手段は、掃除面積を使用者ごとに対比できるよう表示させる、請求項６に記載の掃除管理プログラム。
【請求項８】
ほうきに設けられたデータ取得手段によって取得されたデータに基づいて、掃除面積を算出する掃除面積算出手段を備える、掃除管理サーバ。
【請求項９】
前記掃除面積算出手段は、前記ほうきに設けられた使用者特定手段によって特定された、前記ほうきの使用者を示す情報に基づき、使用者ごとに掃除面積を算出する、請求項８に記載の掃除管理サーバ。
【請求項１０】
前記掃除面積に応じた報酬を付与すること、および、掃除に関する課題を提供することの少なくとも一方を行うサービス提供手段を備える、請求項８または９に記載の掃除管理サーバ。
【発明の詳細な説明】
【技術分野】
【０００１】
本発明は、ほうき、掃除管理プログラムおよび掃除管理サーバに関する。
【背景技術】
【０００２】
家族の中で主に母親が家庭の掃除を担っているのが現状である。掃除は単調な作業であり、あまり楽しいものではない。掃除道具として掃除機（特に、近年普及し始めている自走式ロボット型掃除機）を用いることで負担軽減になり得るが、きめ細かい掃除などほうきが適している面もある。
【先行技術文献】
【特許文献】
【０００３】
【特許文献１】特開２０１８−９１５号公報
【発明の概要】
【発明が解決しようとする課題】
【０００４】
本発明はこのような問題点に鑑みてなされたものであり、本発明の課題は、掃除のモチベーションを高めることが可能なほうき、掃除管理プログラムおよび掃除管理サーバを提供することである。
【課題を解決するための手段】
【０００５】
本発明の一態様によれば、掃除面積を算出に用いられるデータを取得するデータ取得手段と、前記データを送信する通信手段と、を備えるほうきが提供される。
【０００６】
また、本発明の別の態様によれば、コンピュータを、ほうきに設けられたデータ取得手段によって取得されたデータに基づいて算出された掃除面積を表示させる制御手段として機能させる掃除管理プログラムが提供される。
【０００７】
また、本発明の別の態様によれば、ほうきに設けられたデータ取得手段によって取得されたデータに基づいて、掃除面積を算出する掃除面積算出手段を備える、掃除管理サーバが提供される。
【発明の効果】
【０００８】
掃除面積の可視化により、掃除に対するモチベーションを高めることができる。
【図面の簡単な説明】
【０００９】
【図１】掃除管理システムの概略構成図。
【図２】ほうき１００の外観図。
【図３】ほうき１００の機能ブロック図。
【図４】サーバ２００の機能ブロック図。
【図５Ａ】記憶手段２５に記憶される掃除のデータ構造を例示する図。
【図５Ｂ】記憶手段２５に記憶されるクエストのデータ構造を例示する図。
【図６】端末装置３００の機能ブロック図。
【図７】掃除状況管理システムの基本的な処理動作を説明するシーケンス図。
【図８Ａ】ファミリー全体のホーム画面の一例を示す図。
【図８Ｂ】使用者ごとのホーム画面の一例を示す図。
【図９】メニューリスト画面の一例を示す図。
【図１０】カレンダー画面の一例を示す図。
【図１１Ａ】ファミリー用のランキング画面（１か月）の一例を示す図。
【図１１Ｂ】ファミリー用のランキング画面（１週間）の一例を示す図。
【図１１Ｃ】ファミリー用のランキング画面（本日）の一例を示す図。
【図１１Ｄ】ワールド用のランキング画面の一例を示す図。
【図１２】家事コインの詳細画面の一例を示す図。
【図１３Ａ】選択可能なチャレンジを示す画面の一例を示す図。
【図１３Ｂ】挑戦中のチャレンジを示す画面の一例を示す図。
【図１３Ｃ】達成済のチャレンジを示す画面の一例を示す図。
【図１４】コインすごろくゲーム画面の一例を示す図。
【図１５】相談画面の一例を示す図。
【発明を実施するための形態】
【００１０】
以下、本発明に係る実施形態について、図面を参照しながら具体的に説明する。
【００１１】
図１は、掃除管理システムの概略構成図である。掃除管理システムは、ほうき１００、掃除管理サーバ２００および端末装置３００を含む。端末装置３００はスマートフォンやタブレットなどである。
【００１２】
図２は、ほうき１００の外観図である。ほうき１００は、柄１と、その下端に設けられた掃除部材２とを備えている。柄１は、上部は棒状であり、下部は末広がりの形状となっている。柄１の上部、すなわち、ほうき１００を持つ位置の近傍には、後述する使用者特定手段１２としての指紋認証システム１２ａと、使用期間特定手段１３としてのスイッチ１３ａが配置される。
【００１３】
掃除部材２は柄１の下部に設けられる。掃除部材２はアタッチメント式で交換可能であるのが望ましい。具体例として、掃除部材２は、カーペット用、フローリング用モップ、スポンジ、ブラシなどのバリエーションがあり得る。
【００１４】
図３は、ほうき１００の機能ブロック図である。ほうき１００は、データ取得手段１１１と、使用者特定手段１２と、使用期間特定手段１３と、通信手段１４とを備えている。これらは充電装置によって充電される二次電池（不図示）によって駆動される。
【００１５】
データ取得手段１１はほうき１００での掃除面積の算出に用いられるデータを取得するものである。データ取得手段１１の設置位置に特に制限はないが、実際の掃除面積を精度よく算出するため、柄１の下端付近に設けられるのが望ましい。
【００１６】
以下では、データ取得手段１１が加速度センサである例を示す。取得される加速度を積分することで掃除面積を算出できる。その他、データ取得手段１１はＧＰＳ受信装置であってもよい。あるいは、データ取得手段１１は電波強度検知装置であってもよく、この場合、１または複数の基準位置から発せられる電波（例えばＷｉＦｉの電波）の強度を検知することにより、各基準位置とほうき１００との距離を推定でき、この距離から掃除面積を算出できる。
【００１７】
使用者特定手段１２はほうき１００の使用者を特定するものである。本ほうき１００は使用者が複数いること（例えば、家庭内において父親、母親、子供）を想定しており、掃除を行うのが誰であるかを特定する。以下では、使用者特定手段１２は柄１の上部に設けられた指紋認証システム１２ａである例を示す。その他、使用者特定手段１２は、顔認システムでもよいし、使用者に対応して設けられた複数のボタンであってもよい。
【００１８】
使用期間特定手段１３はほうき１００を用いた掃除の開始および終了を特定する。以下では、使用期間特定手段１３は柄１の上部に設けられたスイッチ１３ａであり、使用者が押すことで掃除の開始あるいは終了を特定する例を示す。その他、ほうき１００は不使用時には充電装置（不図示）に置かれることが想定されるため、使用期間特定手段１３はほうき１００が充電装置から外されたことをもって掃除開始と判断したり、ほうき１００が充電装置に置かれたことをもって掃除終了と判断したりしてもよい。
【００１９】
通信手段１４は、アンテナや通信用ＩＣの総称であり、掃除管理サーバ２００および端末装置３００との通信を制御する。具体的には、通信手段１４は、掃除管理サーバ２００に種々のデータを送信したり、端末装置３００とのペアリングを行ったりする。なお、通信の種類に特に制限はなく、ＷｉＦｉ、Ｂｌｕｔｏｏｔｈ（登録商標）などを適用できる。
【００２０】
図４は、掃除管理サーバ２００の機能ブロック図である。掃除管理サーバ２００は、通信手段２１と、掃除面積算出手段２２と、掃除状況管理手段２３と、サービス提供手段２４と、記憶手段２５とを有する。なお、掃除管理サーバ２００の各手段が複数の装置に分散されていてもよい。
【００２１】
通信手段２１はアンテナや通信用ＩＣの総称であり、ほうき１００および端末装置３００との通信を制御する。具体的には、通信手段２１は、ほうき１００から種々のデータを受信したり、端末装置３００と種々のデータを送受信したりする。なお、通信の種類に特に制限はなく、ＷｉＦｉ、Ｂｌｕｔｏｏｔｈ（登録商標）などを適用できる。
【００２２】
掃除面積算出手段２２、掃除状況管理手段２３およびサービス提供手段２４の少なくとも一部は、掃除管理サーバ２００のプロセッサが所定のプログラムを実行することによって実現されてもよい。
【００２３】
掃除面積算出手段２２はほうき１００のデータ取得手段１１によって取得されたデータに基づいて掃除面積を算出する。
【００２４】
掃除状況管理手段２３は、どの使用者が、いつ、どれくらいの面積を掃除したか、といった掃除状況を管理する。掃除者が誰であるかは、ほうき１００の使用者特定手段１２によって特定される。掃除面積は掃除面積算出手段２２によって算出される。
【００２５】
サービス提供手段２４は掃除に関する種々のサービスを提供する。例えば、サービス提供手段２４は掃除面積に応じた報酬、例えば、掃除面積に比例した「家事コイン」を掃除者あるいは掃除者を含むファミリーに付与する。報酬は金品やサービスへの交換が可能であるのが望ましく、このような報酬を付与されることで達成感が得られ、モチベーション向上につながる。また、サービス提供手段２４は掃除に関する課題（クエストあるいはチャレンジとも呼ばれる）を提供したりする。課題の提供により、楽しんで掃除をすることができる。
【００２６】
記憶手段２５は、例えばハードディスクであり、種々の情報を記憶する。
【００２７】
例えば、記憶手段２５には図５Ａに例示される掃除実績が記憶される。掃除実績は、１回の掃除における掃除者と、掃除時と、掃除面積とを関連付けたものである。また、１回の掃除によって付与された家事コインが関連付けられてもよい。また、記憶手段２５には図５Ｂに示すクエストが記憶される、クエストは、チャレンジ名、内容、ステータス（未実施か、挑戦中か、達成済か、挑戦中であればどの程度進んでいるかなど）、チャレンジの達成によって付与される報酬とを関連付けたものである。
【００２８】
クエストの内容に制限はないが、例えば「一時間掃除面積チャレンジ」のように、所定時間内に所定の面積を掃除することであってもよい。「大掃除チャレンジ」のように、所定期間に渡って家族全員あるいは一人ずつバラバラに掃除することであってもよいであってもよい。「家族全員チャレンジ」のように、所定期間内に家族全員が掃除することであってもよい。「５分チャレンジ」のように、１日に所定時間以上掃除を行うことであってもよい。「毎日チャレンジ」のように、所定期間、毎日掃除を行うことであってもよい。
【００２９】
図６は、端末装置３００の機能ブロック図である。端末装置３００は、タッチパネル３１と、通信手段３２と、制御手段３３とを備えている。
【００３０】
タッチパネル３１は入力インターフェースと出力インターフェース（ディスプレイ）とを兼ねており、使用者から種々の操作を受け付けるとともに、種々の情報が表示される。
【００３１】
通信手段３２は、アンテナや通信用ＩＣの総称であり、掃除管理サーバ２００およびほうき１００との通信を制御する。具体的には、通信手段３２は、掃除管理サーバ２００と種々のデータを送受信したり、ほうき１００とのペアリングを行ったりする。なお、通信の種類に特に制限はなく、ＷｉＦｉ、Ｂｌｕｔｏｏｔｈ（登録商標）などを適用できる。
【００３２】
制御手段３３は端末装置３００のプロセッサが掃除管理プログラムを実行することによって実現される。そして、制御手段３３は、使用者からタッチパネル３１を介して種々の入力を受け付けたり、掃除管理サーバ２００と通信したり、種々の情報をタッチパネル３１に表示させたりして、いわゆる「アプリ」（以下、「掃除管理アプリ」と呼ぶ）を機能させる。
【００３３】
以上のような掃除状況管理システムを使用するには、使用者がほうき１００を入手し、掃除管理プログラムを端末装置３００にダウンロードする。そして、使用者はほうき１００と端末装置３００とをペアリングする。また、使用者は掃除管理アプリを操作して、ほうき１００の使用者を登録する（以下では、ファミリー内でほうき１００を使用することを想定し、父、母、長女の３名であるとする）。登録は、本名であってもよいし、父・母といった使用者間での関係を表すものであってもよいし、「パパ」、「ママ」、「わたし」といったニックネームであってもよい。また、特定のほうき１００の使用者をまとめるファミリー名を任意に登録する。さらに、ほうき１００の指紋認証システム１２ａに各使用者の指紋を登録する。
【００３４】
図７は、掃除状況管理システムの基本的な処理動作を説明するシーケンス図である。
【００３５】
使用者は、ほうき１００の使用者特定手段１２（指紋認証システム１２ａのタッチ）および使用期間特定手段１３（スイッチ１３ａの押下）を操作することにより、ほうき１００に対して掃除開始が設定される（ステップＳ１）。
【００３６】
そうすると、データ取得手段１１は掃除面積算出のためのデータ（加速度データ）を取得し、任意のタイミングで通信手段１４が当該データを掃除管理サーバ２００に送信する（ステップＳ２）。なお、使用者特定手段１２によって特定された使用者を示す情報も掃除管理サーバ２００に送信される。データの送信は掃除終了まで繰り返される。
【００３７】
その後、使用者がほうき１００の使用期間特定手段１３を操作することにより、ほうき１００に対して掃除終了が設定される（ステップＳ３）。これにより、掃除が終了した旨を通信手段１４が掃除管理サーバ２００に通知する。
【００３８】
一方、掃除管理サーバ２００の通信手段２１はほうき１００からのデータを受信し、蓄積する（ステップＳ１１）。そして、掃除が終了した旨をほうき１００から通知されると、掃除面積算出手段２２はほうき１００からのデータに基づいて掃除終了までの掃除面積を算出する（ステップＳ１２）。
【００３９】
そして、掃除状況管理手段２３は、掃除実績として、誰が（掃除者）、いつ（掃除時）、どれだけの掃除面積を掃除したかを図５Ａの記憶手段２５に保存する（ステップＳ１３）。さらに、掃除状況管理手段２３は掃除面積に応じて付与される家事コインを記憶手段２５に保存してもよい。また、サービス提供手段２４は、必要に応じて、図５Ｂの記憶手段２５における各クエストのステータスを更新する。
【００４０】
ほうき１００を用いた掃除が行われる度に以上の処理が実行される。なお、図７の流れは一例にすぎず、掃除実績を取得さえできれば、適宜変更可能である。例えば、掃除開始から終了までのデータがほうき１００内に蓄積され、通信手段１４は掃除終了時にまとめて掃除管理サーバ２００にデータを送信してもよい。
【００４１】
続いて、端末装置３００での機能（掃除管理アプリの機能）について説明する。使用者の操作に応じて端末装置３００が掃除管理アプリを立ち上げると、アプリから掃除管理サーバ２００にリクエストが送信される。そして、掃除管理サーバ２００の掃除状況管理手段２３は図５Ａに示す記憶手段２５から必要な掃除実績を読み出し、これを通信手段２１が端末装置３００に送信する。また、サービス提供手段２４は図５Ｂに示す記憶手段２５から必要なクエスト情報を読み出し、これを通信手段２１が端末装置３００に送信する。
【００４２】
そして、端末装置３００の制御手段３３が適宜の処理を行って、以下に例示する各画面をタッチパネル３１に表示する。
【００４３】
図８Ａは、掃除管理アプリによって表示されるホーム画面の一例を示す図である。ホーム画面は、タブによって全体（全使用者）用のホーム画面と、各使用者のホーム画面とが切り替え可能となっている。
【００４４】
ホーム画面における「本日の掃除面積合計」は掃除管理アプリ表示日における全使用者による掃除面積の合計である。「最高」は計測を始めた中で一番多い掃除面積合計を示しており、「−３５ｍ2」は「最高」と「本日の掃除面積合計」との差分を示している。「前日」は掃除管理アプリ表示日の前日における全使用者による掃除面積の合計であり、「−１０ｍ2」は「前日」と「本日の掃除面積合計」との差分を示している。
【００４５】
「本日の獲得コイン」は掃除管理アプリ表示日に全使用者が獲得した家事コインの合計を示している。「累計」は掃除管理アプリの表示日までに蓄積された家事コインの総計を示す。また、本日中にあとどれだけの面積を掃除すれば現在チャレンジ中の「クエスト」が完了するかも示される。
【００４６】
図８Ａの「ママ」タブをタッチすると、使用者ごとのホーム画面として、「ママ」用のホーム画面が表示される（図８Ｂ）。使用者ごとのホーム画面では、各使用者の掃除面積などが示される。他の使用者（「パパ」および「わたし」）も同様である。
【００４７】
このように、掃除面積を可視化することで、掃除に対するモチベーションが向上する。
【００４８】
図８Ａなどのホーム画面におけるメニューボタン４１をタップすると、図９に示すメニューリストが表示される。メニューリストにおける「ホーム」をタップすると、図８Ａに示すホーム画面が表示される。
【００４９】
図９のメニューリストにおける「カレンダー」をタップすると、図１０に示すカレンダー画面が表示される。カレンダー画面は１か月のカレンダーを含み、掃除を行った日にマーク（例えば、図示の丸印）が表示されるなどにより、掃除を行った日が分かるようになっている。また、特定の日を選択すると（図１０では２４日が選択されている）、その日の掃除面積、掃除者および獲得コイン数が表示される。なお、カレンダーは、掃除管理アプリの表示月のみならず、タッチパネル３１上で左右にスワイプを行うことで前月など任意の月を表示可能となっている。
【００５０】
図９のメニューリストにおける「ランキング」をタップすると、図１１Ａに示すランキング画面が表示される。ランキング画面は、タブによってファミリー用のランキング画面と、ワールド用のランキング画面が切り替え可能となっている。
【００５１】
ファミリー用のランキング画面は、特定のほうき１００の使用者として登録された使用者間のランキング（使用者単位のランキング）が示される。図１１Ａでは、１か月間の「パパ」、「ママ」および「わたし」の合計掃除面積が棒グラフで表示されている。図１１Ａ下部の「１週間」をタッチすると、図１１Ｂに示すように、１週間の「パパ」、「ママ」および「わたし」の合計掃除面積が棒グラフで表示される。また、図１１Ａまたは図１１Ｂ下部の「本日」をタッチすると、図１１Ｃに示すように、その日の「パパ」、「ママ」および「わたし」の合計掃除面積が棒グラフで表示される。
【００５２】
なお、図１１Ａ（図１１Ｂ）の１か月間（１週間）とは、掃除管理アプリの表示日を含む月（週）でもよいし、使用者が指定する任意の月（週）でもよいし、これらを切り替え可能でもよい。また、図１１Ｃの「本日」も同様、使用者が指定する任意の日でもよいし、本日と任意の日を切り替え可能であってもよい。１か月、１週間、当日といった期間は、図１１Ａ〜図１１Ｃで示したように複数の選択肢があってもよいし、使用者が任意に設定できてもよい。
【００５３】
このように、ファミリーのランキング画面は、所定期間における各使用者の合計掃除面積が互いに対比できるように表示される。使用者間の掃除面積を可視化することで、ファミリー内で実績がシェアされ、誰がどれだけ掃除しているかが一目瞭然となるため、各使用者が他の使用者に負けじと積極的に掃除をすることが期待される。
【００５４】
図１１Ａ〜図１１Ｃの「ワールド」タブをタッチすると、図１１Ｄに示すように、本掃除管理アプリに登録されたファミリー間のランキング（ファミリー単位のランキング）が示される。図１１Ｄでは、ファミリー毎の累計掃除面積が多い順にファミリー名がリスト表示されている。また、自ファミリーの累計掃除面積と順位も表示される。なお、累計とは、掃除管理アプリへの登録時からの累積でもよいし、１か月、１週間といった特定期間でもよいし、これらを切り替え可能であってもよい。
【００５５】
このように、ワールドのランキング画面は、所定期間における自ファミリーの累計掃除面積を他ファミリーの累計掃除面積と対比できるように表示される。他ファミリーとの掃除面積を可視化することで、ファミリー間で実績がシェアされ、他ファミリーに負けじと積極的に掃除をすることが期待される。
【００５６】
図９のメニューリストにおける「家事コイン詳細」をタップすると、図１２に示す家事コインの詳細画面が表示される。この画面には、累計コイン数、本日の獲得コイン数、今月の獲得コイン数が表示される。
【００５７】
図９のメニューリストにおける「チャレンジクエスト」をタップすると、図１３Ａに示すチャレンジクエスト画面が表示される。チャレンジクエスト画面は、タブによって現在選択可能なチャレンジを表示する画面と、挑戦中のチャレンジを表示する画面と、達成済のチャレンジを表示する画面とが切り替え可能となっている。
【００５８】
図１３Ａは、掃除管理アプリ表示時点で選択可能（であり、未選択）なチャレンジが列挙される。この画面には、少なくともチャレンジ名と、そのチャレンジの達成によって付与される報酬と、挑戦するチャレンジを選択するための「チャレンジする」アイコン（選択アイコン）とが表示されるのが望ましい。その他、チャレンジの内容や期間などをさらに表示してもよい。選択可能なチャレンジが多数ある場合、この画面には一部のチャレンジのみを表示し、画面をスクロールすることで他のチャレンジが表示されるようにしてもよい。
【００５９】
あるチャレンジに対応する選択アイコンを使用者がタッチすると、制御手段３３はその旨を掃除管理サーバ２００に通知する。これに応じて、掃除管理サーバ２００のサービス提供手段２４は、図５Ｂに示す記憶手段２５において、選択されたチャレンジのステータスを「未実施」から「挑戦中」に変更する。
【００６０】
図１３Ａの「挑戦中」タブをタッチすると、図１３Ｂに示す挑戦中のチャレンジが表示される。この画面には、少なくともチャレンジ名と、そのチャレンジの達成によって付与される報酬と、挑戦中のチャレンジをやめるための「チャレンジをやめる」アイコン（中止アイコン）とが表示されるのが望ましい。その他、進捗具合などをさらに表示してもよい。
【００６１】
あるチャレンジに対応する中止アイコンを使用者がタッチすると、制御手段３３はその旨を掃除管理サーバ２００に通知する。これに応じて、掃除管理サーバ２００のサービス提供手段２４は、図５Ｂに示す記憶手段２５において、選択されたチャレンジのステータスを「挑戦中」から「中止」に変更する。一旦中止したチャレンジは、二度と選択できなくてもよいし、再度選択できてもよい。
【００６２】
図１３Ａあるいは図１３Ｂの「達成」タブをタッチすると、図１３Ｃに示す達成済のチャレンジが表示される。この画面には、達成したチャレンジにつき、いつ達成したか、どのくらいの報酬を入手したか、が表示されるのが望ましい。達成済のチャレンジが多数ある場合、達成済のチャレンジを直近から順に並べて表示してもよい。あるいは、報酬が多い順に並べてもよいし、古い順に並べてもよい。
【００６３】
図９のメニューリストにおける「コインゲーム」をタッチすると、図１４に示すコインすごろくゲーム画面が表示される。このコインすごろくゲームは、１日に１回だけさいころを振ってすごろくを進めるものであり、特定のマスに止まると家事コインが付与される。このように報酬が付与されるゲームを設けることで、掃除管理アプリの起動が促される。
【００６４】
図９のメニューリストにおける「お掃除なんでも相談サロン」をタッチすると、図１５に示す相談画面が表示される。この画面では、掃除に関するアドバイス情報などが表示される。
【００６５】
このように、本実施形態では、ほうき１００で掃除を行った面積を可視化する。そのため、掃除に対するモチベーションが向上する。
【００６６】
なお、掃除道具として、従来からある掃除機や、自走式ロボット型掃除機もあるが、これらは掃除道具として万能ではなく、ほうきと住み分けがなされるものである。
【００６７】
例えば、掃除機は、使用時の音が大きく、早朝や深夜の使用は憚られる。また、充電式でない掃除機は、電源コードをコンセントにつなぐ必要があるため小回りがきかない。一方で、充電式の掃除機は、パワーが弱く、一回の充電で稼働できる時間も限られている。
【００６８】
これに対し、ほうきは静かにであるため、いつでも掃除をすることができる。また、本ほうきは充電式であることを想定しており、電源コードの制約を受けない。また、掃除機より消費電力が小さいため、１回の充電で長時間使うことができる。
【００６９】
また、自走式ロボット型掃除機では、隙間の掃除が難しい、床に置いてあるものを片付けなければ掃除ができない、汚れが気になる場所をピンポイントで掃除するのが難しい、といった欠点がある。さらに、自走式ロボット型掃除機では、自分の目で部屋の状態を確認できなかったり、達成感が得られなかったりする。
【００７０】
これに対し、ほうきを用いることで、隙間など細かいところも掃除できるし、床に置いてあるものを避けて掃除することもできるし、汚れが気になる場所をピンポイントで掃除することもできる。このように、ほうきを用いる物理的なメリットがある。また、ほうきで掃除をすることで、自分の目で部屋の状態を確認できるし、自ら掃除をすることで気持ちよさや達成感が得られる。このように、ほうきを用いる心理的なメリットもある。
【００７１】
このように、掃除機（自走式ロボット型掃除機を含む）とほうきは異なるものであり、本実施形態で説明した機能をほうきに持たせることに大きな意義がある。
【００７２】
なお、図１、図３、図４および図６で例示した掃除管理システムは一例にすぎない。例えば、ほうき１００の各手段の少なくとも一部を掃除管理サーバ２００あるいは端末装置３００に設けてもよいし、掃除管理サーバ２００の各手段の少なくとも一部をほうき１００あるいは端末装置３００に設けてもよいし、端末装置３００の各手段の少なくとも一部をほうき１００あるいは掃除管理サーバ２００に設けてもよい。例えば、端末装置３００に使用者特定手段１２および／または使用期間特定手段を設けてもよい。あるいは、掃除管理サーバ２００を設けず、端末装置３００で完結した掃除管理アプリとしてもよい。
【００７３】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００７４】
１００  ほうき
１  柄
２  掃除部材
１１  データ取得手段
１２  使用者特定手段
１２ａ  指紋認証システム
１３  使用期間特定手段
１３ａ  スイッチ
１４  通信手段
２００  掃除管理サーバ
２１  通信手段
２２  掃除面積算出手段
２３  掃除状況管理手段
２４  サービス提供手段
２５  記憶手段
３００  端末装置
３１  タッチパネル
３２  通信手段
３３  制御手段
【図１】
2020130370.tif 000003
【図２】
2020130370.tif 000004
【図３】
2020130370.tif 000005
【図４】
2020130370.tif 000006
【図５Ａ】
2020130370.tif 000007
【図５Ｂ】
2020130370.tif 000008
【図６】
2020130370.tif 000009
【図７】
2020130370.tif 000010
【図８Ａ】
2020130370.tif 000011
【図８Ｂ】
2020130370.tif 000012
【図９】
2020130370.tif 000013
【図１０】
2020130370.tif 000014
【図１１Ａ】
2020130370.tif 000015
【図１１Ｂ】
2020130370.tif 000016
【図１１Ｃ】
2020130370.tif 000017
【図１１Ｄ】
2020130370.tif 000018
【図１２】
2020130370.tif 000019
【図１３Ａ】
2020130370.tif 000020
【図１３Ｂ】
2020130370.tif 000021
【図１３Ｃ】
2020130370.tif 000022
【図１４】
2020130370.tif 000023
【図１５】
2020130370.tif 000024